(57)【要約】【課題】アシスタント用インスツルメントホルダに吸塵用の開口を設け、義歯調整時等において発生する切削粉等の粉塵を吸引するようにし、従来使用している口腔外バキューム機能を代行する。【解決手段】アシスタント用インスツルメントホルダ７のテーブル部にバキュームチューブに共通のセントラルバキューム装置に連通する吸気口２０を有する。この吸気口２０より義歯調整時に発生する切削粉等の粉塵を吸引する。【選択図】図１
2007130135.tif 000002
【特許請求の範囲】
【請求項１】
アシスタント用インスツルメントホルダのテーブル部にバキュームチューブに共通のセントラルバキューム装置に連通する吸気口を有し、該吸気口より外気中の粉塵を吸引可能としたことを特徴とする歯科用アシスタントホルダ。
【請求項２】
前記テーブル部に前記開口からの吸引をオン・オフする弁を操作する手動操作機構を有することを特徴とする請求項１に記載の歯科用アシスタントホルダ。
【請求項３】
前記弁は前記開口に通じるエアー通路に設けられた手動開閉弁であり、前記手動操作機構は前記手動開閉弁を開閉するための操作レバーであることを特徴とする請求項２に記載の歯科用アシスタントホルダ。
【請求項４】
前記弁は前記開口に通じるエアー通路に設けられた電磁弁であり、前記手動操作機構は前記電磁弁を作動するためのスイッチボタンであることを特徴とする請求項２に記載の歯科用アシスタントホルダ。
【請求項５】
前記開口を開閉するための蓋部材を有し、該蓋部材を開いたときに前記セントラルバキューム装置を駆動して吸引を開始し、閉じた時に吸引を停止するようにしたことを特徴とする請求項１乃至４のいずれかに記載の歯科用アシスタントホルダ。
【請求項６】
前記蓋部材は箱であり、開かれた時に、粉塵受け用のトレーとなることを特徴とする請求項５に記載の歯科用アシスタントホルダ。
【請求項７】
前記開口に着脱自在にフィルタを有することを特徴とする請求項１乃至６のいずれかに記載の歯科用アシスタントホルダ。
【発明の詳細な説明】
【技術分野】
【０００１】
本発明は、歯科治療において、アシスタントが使用するアシスタント用のインスツルメントホルダの改良に係り、より詳細には、アシスタント用インスツルメントホルダに吸塵用の開口を設け、義歯調整時等において発生する切削粉等の粉塵を吸引するようにし、従来使用している口腔外バキュームの使用の一部を代行し、或いは口腔外バキュームを設置しなくてもよいようにしたものである。
【背景技術】
【０００２】
図５は、口腔外バキューム装置を備えた従来の歯科治療ユニットの一例を説明するための概略構成図で、図中、１０は歯科治療ユニットを示し、該ユニット１０は、治療椅子１，ワークテーブル２，スピットン３，無影灯４，インスツルメントホルダ５，フットスイッチ６，アシスタント用インスツルメントホルダ７等から成り、インスツルメントホルダ５には、歯科治療において使用する種々のインスツルメント８が収納されており、周知のように、歯科治療に当り、患者は椅子１に座り、頭を安頭台９に固定して治療を受ける。治療中、術者は治療椅子１を上下動，倒起動，傾斜動等させて、患者を治療しやすい姿勢にして治療を行なう。
【０００３】
アシスタント用インスツルメントホルダ７には、口腔内バキュームホース１１，スプレー用シリンジ１２，排唾管１３等が配設されており、治療時、アシスタントは、操作パネル上の押しボタン等を操作することにより、これらのインスツルンメントを駆動し、患者の口腔内に生じる汚物或いは汚液，唾液等を吸引・排出し、或いは、口腔内にスプレー等を噴射して口腔内を清掃する。
【０００４】
１４は吸気口，１５はバキュームホース，１６は該吸気口１４及びバキュームホース１５を支持する吸気用アームで、これら吸気口１４，バキュームホース１５と吸気用アーム１６は、口腔外バキューム装置を構成し、前述のアシスタント用インスツルメントホルダ用のアーム１７は、例えば、吸気用アーム１６に回動可能一体的に取り付けられている。周知のように、義歯加工時等において、吸気口１４を術者の作業手元に移動し、義歯加工中に発生する切削粉等を吸気口１４より吸引し、バキュームホース１５，吸引用アーム１６（パイプ），給排水ボックス１８等を通して床下等に埋設された配管ボックスを介して、セントラルバキューム装置へ吸引，排出するようになっている。
【発明の開示】
【発明が解決しようとする課題】
【０００５】
本発明は、上述のごとき歯科治療ユニットにおいて、前記口腔外バキューム装置の機能の一部又は全部をアシスタント用インスツルメントホルダに持たせ、もって、歯科治療ユニットの全体構成を簡略化し、患者の目から見てやさしい（すっきりした）構成の歯科治療ユニットを提供することを目的としてなされたものである。
しかし、口腔外バキューム装置は、必ずしも、義歯調整時に発生する切削粉等を吸引排出するためにのみ使用するものとは限られないので、口腔外バキューム装置を備えていても、本発明による吸塵機能を備えることの妨げにはならない。
【課題を解決するための手段】
【０００６】
請求項１の発明は、アシスタント用インスツルメントホルダのテーブル部にバキュームチューブに共通のセントラルバキューム装置に連通する吸気口を有し、該吸気口より外気中の粉塵を吸引可能としたことを特徴としたものである。
【０００７】
請求項２の発明は、請求項１の発明において、前記テーブル部に前記開口からの吸引をオン・オフする弁を操作する手動操作機構を有することを特徴としたものである。
【０００８】
請求項３の発明は、請求項２の発明において、前記弁は前記開口に通じるエアー通路に設けられた手動開閉弁であり、前記手動操作機構は前記手動開閉弁を開閉するための操作レバーであることを特徴としたものである。
【０００９】
請求項４の発明は、請求項２の発明において、前記弁は前記開口に通じるエアー通路に設けられた電磁弁であり、前記手動操作機構は前記電磁弁を作動するためのスイッチボタンであることを特徴としたものである。
【００１０】
請求項５の発明は、請求項１乃至４のいずれかの発明において、前記開口を開閉するための蓋部材を有し、該蓋部材を開いたときに前記セントラルバキューム装置を駆動して吸引を開始し、閉じた時に吸引を停止するようにしたことを特徴としたものである。
【００１１】
請求項６の発明は、請求項５の発明において、前記蓋部材は箱であり、開かれた時に、粉塵受け用のトレーとなることを特徴としたものである。
【００１２】
請求項７の発明は、請求項１乃至６のいずれかの発明において、前記開口に着脱自在にフィルタを有することを特徴としたものである。
【発明の効果】
【００１３】
歯科治療において、従来、義歯調整時等に、義歯の切削によって発生する切削粉等の粉塵を吸引、排出するために使用されていた口腔外バキュームの機能をアシスタント用インスツルメントホルダに持たせるようにしたので、口腔外バキューム装置を設置しなくても、義歯調整時に発生する切削粉等を容易に吸引することができ、歯科治療の環境をすっきりさせることができる。
【発明を実施するための最良の形態】
【００１４】
図１は、本発明によるアシスタント用インスツルメントホルダの一実施例を説明するための要部概略構成図で、インスツルメントホルダ７には、口腔内バキューム１１，シリンジ１２，排唾器１３等が着脱自在に設けられており、これらは、従来技術と全く同様にして使用されるようになっている。而して、本発明においては、このアシスタント用インスツルメントホルダ７に吸引口２０が設けられ、好ましくは、該吸引口２０に着脱自在にフィルタ２３（図４参照）が設けられており、義歯調整時に発生する切削粉等の粉塵を吸引（或いは吸引してトラップ）するようになっている。勿論、この開口２０は、パイプ或いはチューブ２１等を通してセントラルバキューム装置へ連通している。
【００１５】
図２は、吸気口２０からセントラルバキューム装置に至るまでの吸気回路の一例を説明するための図で、図中、２１は前述の開口２０に連通する吸気管で、該吸気管２１には弁機構３１を有し、該弁機構を通した後の吸気管２１は３方管継手３２により、バキューム管１１に連通する吸気管１６と連結され、床下等に配設された配管３３，気液分離器３４等を通してセントラルバキューム装置３５に連結され、該セントラルバキューム装置３５を通した気体はフィルタ３６によって脱臭、排塵されて排出され、気液分離器３４によって分離された汚液は、例えば、図示しない汚液処理装置に導かれ、清浄にされた後、外部へ排出される。
【００１６】
なお、図２に示した例は、バキューム管１１に吸気を遮断するコックを有する場合で、この場合は、吸気管２１に弁３１を設けておき、この弁３１をオン，オフすることにより、吸気口２０からの吸気をオン，オフ制御することができる。換言すれば、弁操作機構２２は、弁３１が電磁弁の場合は、該電磁弁をオン，オフ制御するための操作スイッチでもよいし、レバーであってもよい。
【００１７】
バキューム管１１にコック弁が付いていない場合は、図３に示すように、吸気管１６に電磁弁３７が設けられているので、この場合には、吸気管２１の弁３１も電磁弁にし、共に、電気的にオン，オフ（開閉）するようにすると、使い勝手がよい。なお、バキューム管１１の吸気がコック弁にてオン，オフされる場合は、弁３１も手動式のコック弁等にして操作性を合せることも可能であるが、弁３１は電磁弁であってもよい。
【００１８】
本発明は、前述のように、アシスタント用のインスツルメントホルダに吸気口２０を設け、該吸気口２０を通して、例えば、義歯調整時に発生する切削粉等を吸引，排出するものであるが、更には、図４に示すように、前記開口２０にフィルタ２３を着脱自在に取り付けるようにすることも可能であり、更には、開口２０の下部に粉塵受け用のトレー４０を回動自在に設け、義歯調整時は、図示のように、トレー４０を開口２０の下側に略水平に保持し、義歯調整によって発生する切削粉等を受け、通常は、矢印Ａ方向に回動して開口２０を閉塞するようにしてもよい。このようにした場合、弁３１として電磁弁を使用した時は、トレー４０の開閉によって電磁弁３１及びセントラルバキューム装置をオン，オフ制御することができる。具体的には、トレー４０を図示状態にして開口２０を開いた時に、その動作に関連して図示しないスイッチをオンにして電磁弁３１を開くとともに、セントラルバキューム装置３５を駆動し、トレー４０にて開口２０を閉じた時には、電磁弁３１を閉じるとともに、セントラルバキューム装置３５を停止するようにするとよい。
【図面の簡単な説明】
【００１９】
【図１】本発明によるアシスタント用インスツルメントホルダの一実施例を説明するための要部概略構成図である。
【図２】吸気口からセントラルバキューム装置に至るまでの吸気回路の一例を説明するための図である。
【図３】吸気口からセントラルバキューム装置に至るまでの吸気回路の他の例を説明するための図である。
【図４】本発明によるアシスタント用インスツルメントホルダのほかの実施例を説明するための要部構成図である。
【図５】本発明が適用されるアシスタント用インスツルメントホルダを有する歯科治療ユニットの一例を説明するための全体構成図である。
【符号の説明】
【００２０】
７…アシスタント用インスツルメントホルダ、１０…歯科治療ユニット、１１…バキューム管、１２…シリンジ、１３…排唾管、１８…給排水ボックス、２０…開口、２１…フィルタ、２２…操作スイッチ（レバー）、３１…弁、３２…３方管継手、３５…セントラルバキューム装置、４０…トレー。
【図１】
2007130135.tif 000003
【図２】
2007130135.tif 000004
【図３】
2007130135.tif 000005
【図４】
2007130135.tif 000006
【図５】
2007130135.tif 000007